(57)【要約】【課題】局部基礎ブロックに対する延長基礎ブロックの位置決め及び基礎天端面の形成を簡単にすることができる基礎ブロックの接続構造を提供する。【解決手段】平板状のフーチング部７ａの略中央から基礎立壁部９ａを一体的に立設した延長基礎ブロック６と、平面視でＬ型或いはＴ型等の形状をなしたフーチング部７と基礎立壁部９を形成した局部基礎ブロック２〜５を接続して基礎を構成する基礎ブロックであって、前記局部基礎ブロック２〜５と延長基礎ブロック６とのフーチング部７，７ａ及び基礎立壁部９，９ａを共に同じ高さで形成すると共に、互いのフーチング部７，７ａの接続端に凹凸噛合するフーチング凹部２５とフーチング凸部２３を形成し、該フーチング凹部２５とフーチング凸部２３を噛合させ、局部基礎ブロック２〜５と延長基礎ブロック６を接続し基礎１を構成する。【選択図】        図３
2005097883.tif 000002
【特許請求の範囲】
【請求項１】
平板状のフーチング部（７ａ）の略中央から基礎立壁部（９ａ）を一体的に立設した延長基礎ブロック（６）と、平面視でＬ型或いはＴ型等の形状をなしたフーチング部（７）と基礎立壁部（９）を形成した局部基礎ブロック（２〜５）を、互いのフーチング部（７），（７ａ）と基礎立壁部（９），（９ａ）の接続端を接続して基礎を構成する基礎ブロックにおいて、前記局部基礎ブロック（２〜５）と延長基礎ブロック（６）とのフーチング部（７），（７ａ）及び基礎立壁部（９），（９ａ）を共に同じ高さで形成すると共に、互いのフーチング部（７），（７ａ）の接続端に凹凸噛合するフーチング凹部（２５）とフーチング凸部（２３）を形成し、該フーチング凹部（２５）とフーチング凸部（２３）を噛合させて局部基礎ブロック（２〜５）と延長基礎ブロック（６）を接続して基礎（１）を構成する基礎の接続構造。
【請求項２】
局部基礎ブロック（２〜５）のフーチング部（７）の接続端中央部にフーチング凹部又は凸部よりなる係合部（２３）を形成し、延長基礎ブロック（６）のフーチング部（７ａ）の接続端中央部に上記フーチング係合部（２３）と噛合する逆向きのフーチング凸部又は凹部よりなる係合部（２５）を形成した請求項１の基礎の接続構造。
【請求項３】
局部基礎ブロック（２〜５）のフーチング係合部（２３）に突設した係合突起（２６）と、延長基礎ブロック（６）の基礎立壁部（９ａ）の下面に形成した係合溝（２７）を係合させる請求項１又は２の基礎ブロックの接続構造。
【請求項４】
局部基礎ブロック（２〜５）の基礎立壁部（９）の接続端に切欠形成した立壁受け部（２１）と、延長基礎ブロック（６）の基礎立壁部（９ａ）の側端面に突出形成した立壁載せ部（２２）を係合させる請求項１又は２又は３の基礎ブロックの接続構造。
【請求項５】
局部基礎ブロック（２〜５）のフーチング部（７）と延長基礎ブロック（６）のフーチング部（７ａ）に、横向きのボルト孔（１９），（１９ａ）を形成し、該ボルト孔（１９），（１９ａ）に挿入した基礎連結横ボルト（１７）をナット（１５）で緊締し、局部基礎ブロック（２〜５）と延長基礎ブロック（６）を接合する請求項１又は２又は３又は４の基礎ブロックの接続構造。
【請求項６】
局部基礎ブロック（２〜５）のフーチング部（７）から基礎連結縦ボルト（１２）を立設し、該基礎連結縦ボルト（１２）に延長基礎ブロック（６）の基礎立壁部（９ａ）に形成したボルト孔（１３）を挿入し、局部基礎ブロック（２〜５）と延長基礎ブロック（６）を接合する請求項１又は２又は３又は４又は５の基礎ブロックの接続構造。
【発明の詳細な説明】
【技術分野】
【０００１】
本発明は、プレキャスト成形した局部基礎ブロックと延長基礎ブロックを接続し、建物等の基礎を構成する基礎ブロックの接続構造に関する。
【背景技術】
【０００２】
従来、主として柱荷重を支持する局部基礎ブロックと、局部基礎ブロックの間において延長方向で土台を支持する長手方向の延長基礎ブロックを基礎設置面に設置施工する建物基礎は、文献１に示されるように公知である。この文献１で示される局部基礎ブロックは、平面視でフーチング部と基礎立壁部をＬ型，Ｔ型，＋型，或いはＩ型等のブロック形状に形成される。また延長基礎ブロックは基礎立壁部を平板状フーチング部の中央部に一体的に立設しストレート型ブロック形状に形成される。これらの基礎ブロックは予めコンクリートプレキャスト工場で製造され、基礎の仕様に応じ局部基礎ブロックと延長基礎ブロックを組み合わせて接続される。
【０００３】
上記局部基礎ブロックと延長基礎ブロックは、互いの接続端を平坦面で突き合わせフーチング部の両側に設けた連結部をボルトで連結し、互いの接続端の中央部に形成される縦割円筒状くぼみ部内にコンクリートを充填して接合される。そして、局部基礎ブロックと延長基礎ブロックの接続端を接合した状態で、延長基礎ブロックに低く突出した基礎立壁部の両側に型枠を組立て、この型枠内にコンクリートを充填し局部基礎ブロックの基礎立壁部と同じ高さの基礎立壁部が一連に形成される。次いでコンクリート養生期間を経て、充填コンクリートの天端面をコテ作業等によって水平状に仕上げることにより、建物土台を載置する基礎が構成される。
【０００４】
【特許文献１】実開平６−７９８３９号公報（第２頁，図１１）
【発明の開示】
【発明が解決しようとする課題】
【０００５】
上記文献１で示される基礎施工手段は、局部基礎ブロックと延長基礎ブロックを接続したのち、型枠施工とコンクリート充填及び仕上げ作業を行い延長基礎ブロックの天端面が形成される。従って、基礎現場で型枠の組立てやその解体及び鉄筋組み並びに天端面仕上げ等の煩雑な作業を必要とする。また基礎養生を含む施工期間が長くなる他、基礎施工コストも増大する等の欠点がある。
【０００６】
また局部基礎ブロックと延長基礎ブロックは、突き合わせたフーチング部をボルト連結し、隣接する接続端の接合を縦割円筒状くぼみ部内に充填するコンクリートによって行なわれる。従って、地震等の大きな振動や衝撃負荷によって、充填コンクリートが縦割円筒状くぼみ部と離型して破壊され易く、局部基礎ブロックと延長基礎ブロックの基礎立壁部が互いにずれたり上方から離間するおそれがある。また上下方向の振動負荷に対しても接続端の強度が劣る等の問題がある。
【課題を解決するための手段】
【０００７】
上記課題を解決するためにこの基礎ブロックの接続構造は、第１に、平板状のフーチング部７ａの略中央から基礎立壁部９ａを一体的に立設した延長基礎ブロック６と、平面視でＬ型或いはＴ型等の形状をなしたフーチング部７と基礎立壁部９を形成した局部基礎ブロック２〜５を、互いのフーチング部７，７ａと基礎立壁部９，９ａの接続端を接続して基礎を構成する基礎ブロックにおいて、前記局部基礎ブロック２〜５と延長基礎ブロック６とのフーチング部７，７ａ及び基礎立壁部９，９ａを共に同じ高さで形成すると共に、互いのフーチング部７，７ａの接続端に凹凸噛合するフーチング凹部２５とフーチング凸部２３を形成し、該フーチング凹部２５とフーチング凸部２３を噛合させて局部基礎ブロック２〜５と延長基礎ブロック６を接続して基礎１を構成することを特徴としている。
【０００８】
第２に、局部基礎ブロック２〜５のフーチング部７の接続端中央部にフーチング凹部又は凸部よりなる係合部２３を形成し、延長基礎ブロック６のフーチング部７ａの接続端中央部に上記フーチング係合部２３と噛合する逆向きのフーチング凸部又は凹部よりなる係合部２５を形成したことを特徴としている。
【０００９】
第３に、局部基礎ブロック２〜５のフーチング係合部２３に突設した係合突起２６と、延長基礎ブロック６の基礎立壁部９ａの下面に形成した係合溝２７を係合させることを特徴としている。
【００１０】
第４に、局部基礎ブロック２〜５の基礎立壁部９の接続端に切欠形成した立壁受け部２１と、延長基礎ブロック６の基礎立壁部９ａの側端面に突出形成した立壁載せ部２２を係合させることを特徴としている。
【００１１】
第５に、局部基礎ブロック２〜５のフーチング部７と延長基礎ブロック６のフーチング部７ａに、横向きのボルト孔１９，１９ａを形成し、該ボルト孔１９，１９ａに挿入した基礎連結横ボルト１７をナット１５で緊締し、局部基礎ブロック２〜５と延長基礎ブロック６を接合することを特徴としている。
【００１２】
第６に、局部基礎ブロック２〜５のフーチング部７から基礎連結縦ボルト１２を立設し、該基礎連結縦ボルト１２に延長基礎ブロック６の基礎立壁部９ａに形成したボルト孔１３を挿入し、局部基礎ブロック２〜５と延長基礎ブロック６を接合することを特徴としている。
【発明の効果】
【００１３】
以上のように構成される本発明によれば、局部基礎ブロックと延長基礎ブロックは、互いのフーチング部の接続端をフーチング凹部とフーチング凸部の噛合によって接続するので、横方向のずれを防止した耐震性に優れた基礎を構成することができる。また局部基礎ブロックに対する延長基礎ブロックの位置決め作業及び基礎天端面の形成を簡単にすることができ、低コストな基礎施工ができる等の利点がある。
【００１４】
局部基礎ブロックに突設した係合突起と延長基礎ブロックの基礎立壁部に形成した係合溝を係合させたり、局部基礎ブロックの基礎立壁部に形成した立壁受け部と、延長基礎ブロックの基礎立壁部に形成した立壁載せ部を係合させることにより、基礎施工を複雑化させることなく、延長方向及び上下方向の耐震性を高めることができる。
【００１５】
さらに、局部基礎ブロックと延長基礎ブロックは、互いの基礎立壁部を基礎連結横ボルトで連結することにより、接続端上部の離間を防止しまた上下方向の耐震性を高めた基礎を簡単に構成することができる。また基礎連結縦ボルトは局部基礎ブロックと延長基礎ブロックの上下方向の耐震性を補強する。
【発明を実施するための最良の形態】
【００１６】
本発明の一実施形態を図面に基づいて説明する。図１において符号１は本発明の基礎形成部材（基礎ブロック）によって構成した建物用の基礎（布基礎）を示す。基礎１は地盤に対し従来工法によって施工された基礎設置面に設置される。この実施形態で示す基礎ブロックは、建物の柱荷重を主として支持する部分に配置される局部基礎ブロックと、該局部基礎ブロックにその延長方向に接続されて土台等を支持する延長基礎ブロック等からなる。
【００１７】
上記局部基礎ブロックは、建物の４隅部に専ら配置されるＬ型基礎ブロック２と、該Ｌ型基礎ブロック２，２の間に配置されるＴ型基礎ブロック３、並びにこれらの必要箇所に設置可能な後述する＋型基礎ブロック４とＩ型基礎ブロック５等である。
また延長基礎ブロック６は略ストレート状の任意長さに形成され、その接続端で各局部基礎ブロックと着脱可能に接続される。
【００１８】
実施形態で示す各局部基礎ブロック及び延長基礎ブロック６は、予めプレキャスト工場で製造したものを基礎現場に搬入し、建物等の建築基礎図に基づき基礎設置面に設置施工される。各局部基礎ブロックのフーチング部７と延長基礎ブロック６のフーチング部７ａは、共に略同巾で同厚さに形成される。またフーチング部７，７ａの中央部から一体的に立設される基礎立壁部９，９ａは、建物の土台８を載置固定する布基礎対応部となる天端面を略同巾で同高さに形成される。
【００１９】
以下局部基礎ブロック及び延長基礎ブロック６の詳細な構成について説明する。各局部基礎ブロック及び延長基礎ブロック６は、土台８をネジ止め固定する土台取付ボルト１０を基礎立壁部９，９ａの所要箇所で巾中心に埋設し、そのネジ部を上方に向けて突出している。また各局部基礎ブロックはそれぞれの接続端に後述する構成によって接続部（接続凸部）１１を形成している。そして、接続部１１には延長基礎ブロック６の接続端に挿入連結する基礎連結縦ボルト１２を埋設し、該基礎連結縦ボルト１２の上端は延長基礎ブロック６の基礎立壁部９の上面（天端面）から突出しない長さに立設する。
【００２０】
また延長基礎ブロック６は、フーチング部７ａから延長方向に突出させた基礎立壁部９ａの接続端に、局部基礎ブロックの基礎連結縦ボルト１２を挿入するボルト孔１３を縦方向に貫通している。このボルト孔１３の上部には天端面側からナット１５を締め付け可能に内装するナット穴１６を形成する。
また各局部基礎ブロックの基礎立壁部９と延長基礎ブロック６の基礎立壁部９ａには、基礎連結横ボルト１７を挿入するボルト孔１９，１９ａをそれぞれ形成する。
【００２１】
局部基礎ブロック側の基礎立壁部９は、後述する立壁載せ部２２の近傍下方において接続端から内側の所定位置、例えば埋設される土台取付ボルト１０の下方位置にナット１５を挿入設置するナット孔２０を穿設する。そして、ボルト孔１９は上記基礎立壁部９の接続端からナット孔２０に向けて横方向に貫通させる。
延長基礎ブロック６の基礎立壁部９ａは、基礎１内に大気を取り入れる通風口２０ａを天端面の下方で前記ボルト孔１３よりも内側に穿設する。そして、ボルト孔１９ａは基礎立壁部９ａの接続端から通風口２０ａに向けて横方向に貫通させる。
【００２２】
この構成により各局部基礎ブロックと延長基礎ブロック６は、互いの接続端を接続した状態において、基礎連結横ボルト１７が通風口２０ａからボルト孔１９ａに挿入され、次いでボルト孔１９に押し込まれ、ナット孔２０に突出する基礎連結横ボルト１７のネジ部に、該ナット孔２０から挿入したナット１５をねじ込みし緊締する。
【００２３】
これにより局部基礎ブロックと延長基礎ブロック６は基礎立壁部９，基礎立壁部９ａを介し互いの接続端を基礎連結横ボルト１７によって強く連結し接合することができる。このボルト連結構造により局部基礎ブロックと延長基礎ブロック６は、互いの接続端において主として上下方向の連結を基礎連結縦ボルト１２を介して行い、また基礎連結横ボルト１７によって横方向の連結及び上下方向の連結を強固にすることができる。
【００２４】
さらに、延長基礎ブロック６のフーチング部７ａの両接続端には、局部基礎ブロックの接続部１１と凹凸噛合する接続部（接続凹部）１１ａが形成される。そして、局部基礎ブロックと延長基礎ブロック６の接続端には、両者を凹凸形状又は階段形状によって噛合させる接続構造を以下のように構成している。これにより局部基礎ブロックと延長基礎ブロック６の接続作業は、組み付け及び位置決め等の作業を簡単且つ能率よく行うことができ、また基礎１の通直性と天端面の水平方向の施工を精度よく行うことができる。
【００２５】
次に図２〜図６を参照し上記ボルト連結構造及び接続構造を備えたＬ型基礎ブロック２と延長基礎ブロック６について説明する。先ず図２，図３に示すようにＬ型基礎ブロック２は、平面視においてフーチング部７と基礎立壁部９を共に対称形状のＬ字状に屈曲形成する。そして、基礎立壁部９の接続端をフーチング部７の接続端から接続代Ｈを有し内側（中心側）に後退させた位置から立設する。この接続代Ｈ部分には延長基礎ブロック６の基礎立壁部９ａの接続端を重ね合わせて載置される。
【００２６】
即ち、基礎立壁部９の接続端はその上部を略直角に切欠した受け部２１が形成され、この受け部２１に後述する延長基礎ブロック６の基礎立壁部９ａの接続端に突設した立壁載せ部２２が受け止め支持される。
またフーチング部７の接続端は両側のコーナー部を略直角に切欠し、両側のフーチング凹部２３ａと中央部のフーチング凸部２３が形成される。このフーチング凸部２３は後述する延長基礎ブロック６のフーチング凹部２５に挿入され、左右方向の移動を互いに規制する。
【００２７】
またＬ型基礎ブロック２のフーチング凸部２３の中央先端部には、図３で示される形状の係合突起２６を一体的に突設する。この係合突起２６は延長基礎ブロック６の基礎立壁部９の下面に凹入形成した係合溝２７が噛合され、両者の接続端の延長方向（基礎方向）の離間移動を防止する。図示例のＬ型基礎ブロック２は、接続部１１を構成する各部の強度をバランスよく保持する上で、基礎立壁部９の巾をフーチング部７巾の５分の１程度とし、フーチング凸部２３及びフーチング凹部２５の巾をフーチング部７巾の５分の３程度にしている。尚、基礎立壁部９の巾（厚さ）は１００〜１３５ミリ程度の土台載置巾を標準としている。またフーチング部７，７ａの巾は基礎設置面の状況によって任意に定められる。
【００２８】
また係合突起２６と係合溝２７は楔状に凹凸係合させること、及び前記基礎連結縦ボルト１２は係合突起２６の中心部から突設することが望ましい。この構成により両者の離間方向の移動を防止する噛合部（位置決め部）を、基礎連結縦ボルト１２によって直接的に締着固定することができる。従って、Ｌ型基礎ブロック２と延長基礎ブロック６との連結接合を高め耐震性が向上する。また肉厚に形成される係合突起２６によって基礎連結縦ボルト１２の埋設支持を補強する等の利点がある。
【００２９】
次に図３，図４〜図６を参照し延長基礎ブロック６について説明する。延長基礎ブロック６は平板状フーチング部７ａの延長（長手）方向の両側に、前記Ｌ型基礎ブロック２の接続部１１と接続する接続部１１ａを対称形状で備えている。この接続部１１ａはフーチング部７ａの接続端中央部に前記フーチング凸部２３を挿入せしめるフーチング凹部２５と、フーチング凹部２３ａに位置せしめるフーチング凸部２５ａが形成される。これらのフーチング凸部２３，２５ａとフーチング凹部２３ａ，２５は共にフーチング係合部を構成している。
【００３０】
基礎立壁部９ａの接続端は、フーチング凹部２５の端面から係合溝２７及び係合端部２９を有してオーバーハング状に突出形成する。また基礎立壁部９ａの接続端の上部には、前記Ｌ型基礎ブロック２の立壁受け部２１に載置し係合せしめる立壁載せ部２２が突出形成される。
【００３１】
さらに基礎立壁部９ａの両接続端には、前記基礎連結縦ボルト１２と基礎連結横ボルト１７を挿入するボルト孔１３とボルト孔１９ａを交差状に形成する。前記基礎立壁部９ａに埋設して立設される土台取付ボルト１０は、所要箇所に適数配置され図示しない内部鉄筋に連結することができる。以上のように構成される延長基礎ブロック６は、基礎立壁部９ａよりフーチング部７ａを短くし、フーチング部７ａ側にフーチング凹部２５を形成するので、長い基礎ブロックを軽量化することができる。
【００３２】
また短く形成したフーチング部７は両側に配置されたＬ型基礎ブロック２及び他の局部基礎ブロックの間に、上方から降ろし簡単に位置決めすることができる等の利点がある。また基礎立壁部９ａの両側に形成される通風口２０ａは、基礎連結横ボルト１７の挿入孔になる他、運搬時等の吊り下げ孔を兼ねることができる。
【００３３】
次に、以上のように構成されるＬ型基礎ブロック２と延長基礎ブロック６による基礎施工について図１，図３を参照し説明する。先ず基礎設置面の規定位置にＬ型基礎ブロック２，２を設置する。次いでこの間に人為的又は機械的に持ち上げた延長基礎ブロック６を降ろして挿入する。このときＬ型基礎ブロック２，２の接続部１１，１１内に、延長基礎ブロック６の接続部１１ａが挿入される。
【００３４】
この挿入下降に伴い、延長基礎ブロック６の基礎立壁部９ａの下面に形成したフーチング凹部２５は、Ｌ型基礎ブロック２のフーチング部７に突設されたフーチング凸部２３に噛合し、また延長基礎ブロック６の係合端部２９及び立壁載せ部２２が、Ｌ型基礎ブロック２のフーチング部７と立壁受け部２１とに載置される。
【００３５】
これにより、延長基礎ブロック６はＬ型基礎ブロック２，２と噛合接続することができ、係合溝２７と係合突起２６の噛合により延長方向の移動を防止した連結を行うことができる。また延長基礎ブロック６の重量は基礎設置面と両側のＬ型基礎ブロック２，２で分担支持されるから、両者の噛合接続を強固にする。さらに位置決め設置されたＬ型基礎ブロック２，２と延長基礎ブロック６の天端面は、一連の平面に接続形成されるから仕上げ作業を省力することができる。
【００３６】
次いで、この接続状態において基礎連結横ボルト１７をボルト孔１９，１９ａに挿入しナット１５を緊締する。またボルト孔１３に挿入した基礎連結縦ボルト１２にナット１５をねじ込み緊締する。
これによりＬ型基礎ブロック２，２と延長基礎ブロック６は、上下方向及び基礎方向の接合を基礎連結縦ボルト１２と基礎連結横ボルト１７によって強固に行い一連の基礎１を構成する。
【００３７】
上記ボルト緊締状態において、Ｌ型基礎ブロック２と延長基礎ブロック６は、互いのフーチング部７，７ａがフーチング凸部２３とフーチング凹部２５の噛合によって横方向の移動を防止する。また係合溝２７と係合突起２６の噛合面は、図３で示すように楔状に噛合する斜面にすると、Ｌ型基礎ブロック２と延長基礎ブロック６の近接接続を行い易くすることができる。
【００３８】
以上のような接続構造を備えたＬ型基礎ブロック２と延長基礎ブロック６は、上下及び横方向並びに基礎方向の位置決め施工を共に簡単に行うことができる。また従来のもののようにコンクリート等のセメント剤によって接合することなく、Ｌ型基礎ブロック２と延長基礎ブロック６は接続端の凹凸噛合、及び基礎連結横ボルト１７及び基礎連結縦ボルト１２によって接合するので、地震等の大きな振動に対しても互いのずれを防止できる。また両者の接続端の緩衝性及び復元性を有する耐震性に優れた基礎１を構成することができる。
【００３９】
またＬ型基礎ブロック２と延長基礎ブロック６の上部は、基礎立壁部９，９ａの中途部に形成した立壁受け部２１と立壁載せ部２２で係合支持し、下部は係合突起２６と係合溝２７をフーチング部７とその係合突起２６に係合支持し接続するので、上下方向の振動による曲げモーメントに対し上下の複数箇所が互いに支え合うことができる。また基礎連結横ボルト１７は立壁受け部２１の近傍を緊締するので、基礎立壁部９，９ａの上部を拡開させようとする曲げモーメントに抗することができる。
【００４０】
尚、Ｌ型基礎ブロック２及び延長基礎ブロック６はプレキャスト製造によって加工精度が均質であり、両者の接続によって形成される天端面は面一になるが、係合突起２６或いは立壁載せ部２２，立壁受け部２１等に加工誤差や取り扱い時に破損を生じた場合には、適宜な隙間調節部材や補修部材を用いた調整を行うことにより水平な天端面を簡単に形成することができる。
【００４１】
次に、図９〜図１０を参照し基礎１に使用される各種の局部基礎ブロックについて説明する。尚、前記実施形態のものと同様な構成及び作用については説明を省略する。
先ず図７で示すＴ型基礎ブロック３は、図１で示すようにＬ型基礎ブロック２，２の中間において、所定局所に適数設置される。
【００４２】
このＴ型基礎ブロック３は、フーチング部７と基礎立壁部９を前記Ｌ型基礎ブロック２のものと同じ高さで平面視Ｔ字状に形成される。そして、基礎方向の左右に沿って配置される延長基礎ブロック６，６を接続する接続端と、且つその中央部で略直交する方向に配置される延長基礎ブロック６を接続する接続端が形成される。
【００４３】
図８で示すＩ型基礎ブロック５は、基礎方向に沿って延長基礎ブロック６を長く接続する場合に、その接続局所に使用される。このＩ型基礎ブロック５はフーチング部７と基礎立壁部９を前記Ｌ型基礎ブロック２のものと同じ高さとし平面視で略Ｉ字状に形成され、基礎方向に沿って左右に配置される延長基礎ブロック６をそれぞれ接続する接続端が形成される。
【００４４】
図９，図１０で示す＋型基礎ブロック４は、例えば図１で示す基礎１の中央部において延長基礎ブロック６を＋字状に接続する際に使用される。この＋型基礎ブロック４は、フーチング部７と基礎立壁部９を前記Ｌ型基礎ブロック２のものと同じ高さとし平面視で略＋字状に形成される。そして、基礎方向に沿った左右に延長基礎ブロック６をそれぞれ接続する接続端と、上記方向と略直交する方向に延長基礎ブロック６をそれぞれ接続する接続端が形成される。
【００４５】
上記Ｔ型基礎ブロック３，Ｉ型基礎ブロック５，＋型基礎ブロック４は、何れも前記Ｌ型基礎ブロック２と同様な接続構造によって延長基礎ブロック６と接合し、接続部１１，１１ａの強度の均一化を図り一連の基礎１を構成することができる。
従って、上記のような接続構造を備える基礎ブロックは、予めプレキャスト製造された形状と大きさの規格化したものを基礎現場に搬入し組み立てるだけで基礎１を簡単に構成することができる。
【００４６】
即ち、基礎施工において各基礎ブロックを接合するためのコンクリート充填作業や、天端面を形成するための型枠作業を不要にするので、基礎１の施工を省力化し廉価に行うことができる。また高度に熟練した技能を必要とせず迅速な施工ができ、施工期間を短縮することができる。
【００４７】
さらに組立てが簡単なだけでなく、解体工事も組立ての逆順を追って殆ど基礎連結縦ボルト１２，基礎連結横ボルト１７等のネジ具類を弛めるだけの簡単な作業で行なうことができる。これにより建物解体に伴う基礎１の分解を各基礎ブロックの損傷を抑制して行うことができるので、分解した基礎ブロックの再使用を可能にすることができる。
【００４８】
特に各基礎ブロック２〜６のフーチング部７，７ａ又はその側端部やコーナー部の近傍にアンカー孔を形成し、このアンカー孔を介してアンカーボルト又はアンカー杭を地盤側に打ち込むことにより、現場打ちコンクリートなしで基礎ブロックを簡易固定式とすることも可能である。そしてこの場合はアンカーボルトや連結ボルトを外すことのみによって、使用済みの基礎ブロック全体を解体することが可能であり、仮設の住宅，倉庫その他の簡易建築物の基礎としての利用に適する。
【００４９】
また各基礎ブロックは基礎立壁部９ａ，９の表面側に模様部３０をプレキャスト製造時に同時形成することができ、後作業による基礎１の表面化粧施工を省力できる。
また局部基礎ブロックと延長基礎ブロック６は、各接続端にプレキャスト製造時に成形型の抜き勾配となる斜面を形成することが望ましく、この場合には局部基礎ブロックの傾斜接続端に延長基礎ブロック６の傾斜接続端が上方から楔状に接触することになる。
【００５０】
尚、基礎ブロックの成形材は図示例のコンクリート材に限ることなく、産業廃棄物の再利用を可能にした焼成材或いはプラスチック材等で形成することができる。
【産業上の利用可能性】
【００５１】
この発明の基礎ブロックの接続構造は、一般の木造家屋や倉庫並びにイベント用施設等の建物の基礎、並びに構造物を支持したり重量物を載置する基礎に広く採用することができる。また施工した基礎を解体しこれを再施工する解体再組立て型の基礎にも好適に使用することができる。
【図面の簡単な説明】
【００５２】
【図１】本発明に係わる基礎ブロック及び延長基礎ブロックによって施工した基礎の平面図である。
【図２】Ｌ型基礎ブロックの平面図である。
【図３】図２のＬ型基礎ブロックと図５の延長基礎ブロックとの接続状態を一部破断をして示す側面図である。
【図４】延長基礎ブロックの平面図である。
【図５】図４の正面図である。
【図６】図５の側面図である。
【図７】Ｔ型基礎ブロックの平面図である。
【図８】Ｉ型基礎ブロックの平面図である。
【図９】＋型基礎ブロックの平面図である。
【図１０】図９の正面図である。
【符号の説明】
【００５３】
１    基礎
２    Ｌ型基礎ブロック（局部基礎ブロック）
３    Ｔ型基礎ブロック（局部基礎ブロック）
４    ＋型基礎ブロック（局部基礎ブロック）
５    Ｉ型基礎ブロック（局部基礎ブロック）
６    延長基礎ブロック
７，７ａ    フーチング部
９，９ａ    基礎立壁部
１１，１１ａ    接続部
１２  基礎連結縦ボルト
１５  ナット
１７  基礎連結横ボルト
１９，１９ａ  ボルト孔
２１  立壁受け部
２２  立壁載せ部
２３  フーチング凸部（係合部）
２３ａ    フーチング凹部（係合部）
２５  フーチング凹部（係合部）
２５ａ    フーチング凸部（係合部）
２６  係合突起
２７  係合溝
【図１】
2005097883.tif 000003
【図２】
2005097883.tif 000004
【図３】
2005097883.tif 000005
【図４】
2005097883.tif 000006
【図５】
2005097883.tif 000007
【図６】
2005097883.tif 000008
【図７】
2005097883.tif 000009
【図８】
2005097883.tif 000010
【図９】
2005097883.tif 000011
【図１０】
2005097883.tif 000012